(57)【要約】【課題】  設備情報が複数のデータテーブルに分かれていても、１つのデータテーブルに収容されている場合と同様に管理することができる設備情報の管理方法を提供する。【解決手段】  所定の設備区分（例えば、変圧器、遮断器等）に区分された設備の特徴を表す属性情報である管理項目を、各設備区分に共通の管理項目である共通項目（機器名、設置場所等）と、各設備区分に固有の管理項目である一般項目（固有項目）（例えば、電圧、最大遮断電流等）とに分け、共通項目及び一般項目について共通項目データテーブル及び一般項目データテーブルを生成し、共通項目データテーブル及び一般項目データテーブルの各レコードに相互を関連づける関連づけキーを付し両者の関係を保持した状態で管理項目を管理する。【選択図】        図１
2006235783.tif 000002
【特許請求の範囲】
【請求項１】
所定の設備区分に区分された設備の特徴を表す属性情報である管理項目を上記各設備区分に共通の管理項目である共通項目と上記各設備区分に固有の管理項目である一般項目とに分け、上記共通項目及び上記一般項目について共通項目データテーブル及び一般項目データテーブルを生成し、上記共通項目データテーブル及び上記一般項目データテーブルの各レコードに相互を関連づける関連づけキーを付し両者の関係を保持した状態で上記管理項目を管理する設備情報の管理方法。
【請求項２】
上記設備区分のうちの特定の設備区分における一般項目のデータを上記一般項目データテーブルから抽出して設備情報ビューを生成し、この設備情報ビューにより上記管理項目を管理しうるようにしたことを特徴とする請求項１に記載の設備情報の管理方法。
【請求項３】
上記一般項目から検索対象を選択し、上記一般項目データテーブルから上記検索対象の検索条件を満たすレコードを検索して該当レコードを抽出し、上記共通項目データテーブル中の上記該当レコードの上記関連づけキーに対応するレコードと組み合わせて上記検索条件を満たす上記管理項目を得るようにしたことを特徴とする請求項１に記載の設備情報の管理方法。
【請求項４】
上記共通項目データテーブル及び上記一般項目データテーブルから全ての管理項目の名称を取得し、この取得した全ての管理項目の名称から表示すべき表示対象を選択し、上記共通項目データテーブル及び一般項目データテーブルから上記表示対象のデータを得て上記表示対象の管理項目の名称と上記データを表示するようにしたことを特徴とする請求項１に記載の設備情報の管理方法。
【発明の詳細な説明】
【技術分野】
【０００１】
本発明は、設備情報の管理方法に係り、特に電力、ガス、道路などの分野において多数の機器や部品を有する設備を管理するための設備情報の管理方法の改良に関する。
【背景技術】
【０００２】
多数の機器や部品などを有する設備の設備情報の量は膨大なものになる。この設備情報を一つの巨大なデータテーブルにまとめようとしてもハードウェアの制約等により、複数のデータテーブルに分割して管理する場合が多い。例えば、管理したい設備対象の属性項目（管理項目）を定義し、属性項目群を一つのまとまりとしてラベル付けし、この属性項目群についてそれぞれ独立したデータテーブルを持つようにして、階層的に管理しながらデータの追加登録、参照、属性変更その他を容易にできるようにする設備情報の管理方法が提案されている（例えば、特許文献１参照）。
【０００３】
【特許文献１】特開２００２−２５１４３１（段落番号００１９〜００２１、００２７及び図２）
【発明の開示】
【発明が解決しようとする課題】
【０００４】
従来の設備情報の管理方法は以上のように構成され、本発明の設備区分に相当する属性項目群ごとにデータテーブルを作成している。そのため、ある管理項目（属性項目）を持つ設備の属性情報を検索するためには複数回の問合せが発生し、検索が煩雑になるという問題点があった。また、設備全体を対象として検索を行おうとする場合は、属性項目群のデータテーブル同士について親データテーブルや階層データテーブルを別途作成しなければならなかった。また、管理項目や新設備を追加した場合は表示用プログラムもそれに合わせて機能修正する必要があった。
【０００５】
この発明は上記のような問題点を解決するためになされたものであり、設備情報が複数のデータテーブルに分かれていても、１つのデータテーブルに収容されている場合と同様に管理することができるとともに、管理項目や新設備を追加しても表示用プログラムのメンテナンスを要しない設備情報の管理方法を提供することを目的とする。
【課題を解決するための手段】
【０００６】
この発明に係る設備情報の管理方法は、所定の設備区分に区分された設備の特徴を表す属性情報である管理項目を各設備区分に共通の管理項目である共通項目と各設備区分に固有の管理項目である一般項目とに分け、共通項目及び一般項目について共通項目データテーブル及び一般項目データテーブルを生成し、共通項目データテーブル及び一般項目データテーブルの各レコードに相互を関連づける関連づけキーを付し両者の関係を保持した状態で管理項目を管理するものである。
【発明の効果】
【０００７】
この発明は、所定の設備区分に区分された設備の特徴を表す属性情報である管理項目を各設備区分に共通の管理項目である共通項目と各設備区分に固有の管理項目である一般項目とに分け、共通項目及び一般項目について共通項目データテーブル及び一般項目データテーブルを生成し、共通項目データテーブル及び一般項目データテーブルの各レコードに相互を関連づける関連づけキーを付し両者の関係を保持した状態で管理項目を管理するので、複数のデータテーブルに分かれていても、１つのデータテーブルに収容されている場合と同様に管理することができる。
【発明を実施するための最良の形態】
【０００８】
実施の形態１．
図１〜図３は、この発明を実施するための実施の形態１を示すものであり、図１は設備情報の管理方法における管理情報の構成を示す図、図２は属性情報データテーブルのレコードの具体例を示す図、図３は共通項目データテーブル及び一般項目データテーブルを示す図である。図１において、管理の対象とする設備に関する設備情報を、次に述べるように共通項目データテーブルと一般項目データテーブルに区分して二つのデータテーブルを作り、これらのレコードを連結用キーを設けて連結する。なお、本発明においては、共通項目データテーブルと一般項目データテーブルを合わせたものを設備情報データテーブルと称する。以下、具体的に説明する。まず、設備を所定の設備区分に区分する。例えば、設備区分Ａ（変圧器）、設備区分Ｂ（遮断器）、設備区分Ｃ（誘導電動機）の各区分に、設備の特徴を表す属性情報を定義する項目番号０１〜０４，１１〜１４，２１〜２４，３１〜３４の各管理項目が図１（ａ）に示すようにそれぞれ設定されているとする。このとき、各設備区分Ａ〜Ｃに共通である項目番号０１〜０４の管理項目を共通項目、各設備区分Ａ〜Ｃのそれぞれに固有の管理項目である項目番号１１〜１４、項目番号２１〜２４、項目番号３１〜３４の管理項目を一般項目と定義する。
【０００９】
そして、図１（ｂ）のような共通項目（項目番号０１〜０３）を有する共通項目データテーブル及び一般項目（項目番号１１〜１３、項目番号２１〜２３、項目番号３１〜３３）を有する一般項目データテーブルを作成する。そして、同一設備の例えば甲変圧器なら甲変圧器の共通項目データテーブル及び一般項目データテーブルのレコードごとに同一の連番を振り、これを連結用キーとしてリレーションを持たせ、共通項目データテーブルと一般項目データテーブルの２つに分割されているレコードを論理的に１つのレコードとして識別させる。これにより、共通項目データテーブルと一般項目データテーブルがあたかも一つのデータテーブルであるかのように扱うことができる。
【００１０】
データの型式は図２（ａ）〜（ｃ）に示すようなものであり、共通項目である項目番号０１〜０４の管理項目の項目名は、順に設備区分、設備名称、設置場所、管理者となっており、それぞれに属性を表すデータが入力される。一般項目は、設備区分が変圧器である場合は、図２（ａ）に示すように、項目番号１１〜１４の管理項目の項目名は、順に型式、容量、一次電圧、二次電圧となっており、それぞれに属性を表すデータが入力される。設備区分が遮断器である場合は、図２（ｂ）に示すように、項目番号２１〜２４の管理項目の項目名は、順に型式、定格電圧、定格電流、定格遮断電流となっており、それぞれに属性を表すデータが入力される。設備区分が誘導電動機である場合は、図２（ｃ）に示すように、項目番号３１〜３４の管理項目の項目名は、順に型式、容量、電圧、最大負荷となっており、それぞれに属性を表すデータが入力される。
【００１１】
共通項目データテーブル及び一般項目データテーブルは、例えば図３に示すようなものであり、各データテーブルのレコードが連番（００００１，００００４，００００７）により一対一に関連づけされている。
これにより、管理項目すなわち管理情報のデータが複数のデータテーブルに分かれていても、１つの大きなデータテーブルに収容されている場合と同様に容易に管理することができ、また一回の検索で複数のデータテーブルから所望のデータを得ることができ、効率的に検索できる。
【００１２】
実施の形態２．
図４は、この発明の他の実施の形態である設備情報の管理方法における設備ビューを示す図である。図４に示すように、一般項目データテーブルはすべての設備区分の一般項目（例えば、管理項目１１〜１３，２１〜２３，３１〜３３）を包含するため、設備区分を特定してその一般項目を照会する場合に、不要な一般項目までを参照することになる。例えば、設備区分（変圧器）については設備区分（遮断器）の一般項目（管理項目）２１〜２３は不要である。このような不要な一般項目まで参照すると処理効率が低下する。
【００１３】
これを防止するために、図４に示すように、一般項目データテーブルを基にし、設備区分Ａ〜Ｃ（変圧器、遮断器、誘導電動機）のそれぞれについてその射影（ビユー）を定義して、すなわち当該設備区分に必要とされる一般項目だけを取り出して設備ビュー（データテーブル）を作成し、前述の一般項目の照会を行う場合は、これを使用する。例えば、設備区分（変圧器）の設備ビユーは一般項目が管理項目２１〜２４のみとなる。なお、設備区分は複数あることから設備情報ビユーは「設備情報ビユー（設備区分）」という命名規則を設ける。例えば設備区分が（変圧器）であれば、設備情報ビユー（変圧器）と命名する。このようにして作成した設備ビューの具体例については、後述の図５を参照されたい。
【００１４】
これにより、管理項目を一元管理しながらも、設備区分ごとにデータテーブルを管理しているのと同様の効果を奏し、特に不要な一般項目までを参照することを防止でき、効率的に検索できる。
【００１５】
実施の形態３．
図５及び図６は、さらにこの発明の他の実施の形態である設備情報の管理方法を示すものであり、図５は設備ビューを利用してデータ検索を行う場合のフローを示すフローチャート、図６は設備ビューを示す図である。
以下、図５のフローチャートによって説明する。
ステップＳ１１において、図６（ａ）の共通項目データテーブル及び図６（ｂ）の一般項目データテーブルから、各設備区分である変圧器、遮断器、誘導電動機ごとに図６（ｃ）、（ｄ）、（ｅ）に示すような設備ビュー（変圧器）、設備ビュー（遮断器）、設備ビュー（誘導電動機）を作成する。
ステップＳ１２において、設備ビューから管理項目（一般項目）を取得する。
ステップＳ１３において、取得した管理項目を画面上にリスト表示を行う。
【００１６】
ステップＳ１４において、利用者は表示された管理項目から検索に使用する管理項目を選択する。
ステップＳ１５において、検索条件を設定し一般項目データテーブルについて該当データを検索する。例えば、６０ｋＶ＜定格電圧（管理項目２２）＜７２ｋＶなる条件を設定する。検索対象が遮断器であるから設備ビュー（遮断器）（図６（ｄ）参照）を利用して指定された条件で検索を行い、条件に合致するレコードの連結用キーである連番００００４を返す。
ステップＳ１６において、条件に合致するレコードの連番００００４に対応する共通項目レコード及び一般項目レコードを連結し、これらの管理項目を図６（ｆ）に示すように画面に表示する。
【００１７】
このように、連結用キーにより二つのレコードを連結するので、全ての設備について１回の操作にて検索でき、この例では図６（ｆ）に示すように第一遮断器についての全ての管理項目を知ることができる。また、一般項目の検索時に不要な一般項目までを参照することを防止でき、効率的に検索できる。そして、管理項目の内容がどのようなものであるかを簡潔に把握できる。さらに、全管理対象設備について任意の管理項目を検索条件にして串刺し検索を行うことができ、検索速度も向上する。
【００１８】
実施の形態４．
図７及び図８は、さらにこの発明の他の実施の形態である設備情報の管理方法を示すものであり、図７は設備情報の検索を行う場合のフローを示すフローチャート、図８は設備情報のデータの一例を示す図である。
この実施の形態によれば、新規管理対象設備が追加された場合または既存の管理対象設備に対して管理項目が追加されたり削除されたりした場合であっても、表示プログラムのメンテナンスを行わずに設備の管理項目の項目名及びそのデータ（属性）を表示することができる。以下、図７のフローチャートによって説明する。
ステップＳ２１において、設備の階層図の表示を行う。
ステップＳ２２において、利用者は表示された階層図から管理項目を照会したい設備区分を選択する。ここでは例として設備区分（遮断器）を選択したとする。
【００１９】
ステップＳ２３において、共通項目データテーブル及び一般項目データテーブルより設備区分（遮断器）をキーにして全ての項目番号／項目名（図２参照）のセットを取得する。
ステップＳ２４において、各項目名に対応するすべての管理項目のデータ（属性データ）を取得する。例えば、設備区分が遮断器の場合、項目番号／項目名は、項目番号２１／型式、項目番号２２／定格電圧、項目番号２３／定格電流、項目番号２４／定格遮断電流となる。そして、この後に、例えば項目番号２５／前回点検時動作回数が追加されている場合は、この項目番号／項目名も取得する。
ステップＳ２５において、ステップＳ２３で得られた項目番号／項目名のセットと、ステップＳ２４で得られた項目番号／データのセットと組合わせて検索結果として返す。
ステップＳ２６において、項目名とそのデータの表を作成し、一覧表として画面に表示する。
【００２０】
この方式を採用すれば、管理項目や管理対象設備の増減を意識することは無く、すべての管理項目を参照して管理項目のデータを取得することができるので、表示プログラムのメンテナンスを必要としない。
【００２１】
以上のように、この発明における設備情報の管理方法は、所定の設備区分に区分された設備の特徴を表す属性情報である管理項目を各設備区分に共通の管理項目である共通項目と各設備区分に固有の管理項目である一般項目とに分け、共通項目及び一般項目について共通項目データテーブル及び一般項目データテーブルを生成し、共通項目データテーブル及び一般項目データテーブルの各レコードに相互を関連づける関連づけキーを付し両者の関係を保持した状態で管理項目を管理するので、複数のデータテーブルに分かれていても、１つの大きなデータテーブルに収容されている場合と同様に管理することができる。
【００２２】
そして、設備区分のうちの特定の設備区分における一般項目のデータを一般項目データテーブルから抽出して設備情報ビューを生成し、この設備情報ビューにより管理項目を管理しうるようにしたことを特徴とするので、管理項目を一元管理しながらも設備区分ごとにデータテーブルを管理しているのと同様の効果を奏する。
【００２３】
さらに、一般項目から検索対象を選択し、一般項目データテーブルから検索対象の検索条件を満たすレコードを検索して該当レコードを抽出し、共通項目データテーブル中の該当レコードの関連づけキーに対応するレコードと組み合わせて検索条件を満たす管理項目を得るようにしたことを特徴とするので、一般項目の検索時に不要な一般項目までを参照することを防止でき、効率的に検索できる。
【００２４】
また、共通項目データテーブル及び一般項目データテーブルから全ての管理項目の名称を取得し、この取得した全ての管理項目の名称から表示すべき表示対象を選択し、共通項目データテーブル及び一般項目データテーブルから表示対象のデータを得て表示対象の管理項目の名称とデータを表示するようにしたことを特徴とするので、表示プログラムのメンテナンスを必要としない。
【図面の簡単な説明】
【００２５】
【図１】管理情報の構成を示す図である。
【図２】属性情報データテーブルのレコードの具体例を示す図である。
【図３】共通項目データテーブル及び一般項目データテーブルを示す図である。
【図４】この発明の他の実施の形態である設備情報の管理方法における設備ビューを示す図である。
【図５】さらに、この発明の他の実施の形態である設備ビューを利用してデータ検索を行う場合のフローチャートである。
【図６】設備ビューを示す図である。
【図７】さらに、この発明の他の実施の形態である設備情報の検索を行う場合のフローを示すフローチャートである。
【図８】設備情報のデータの一例を示す図である。
【図１】
2006235783.tif 000003
【図２】
2006235783.tif 000004
【図３】
2006235783.tif 000005
【図４】
2006235783.tif 000006
【図５】
2006235783.tif 000007
【図６】
2006235783.tif 000008
【図７】
2006235783.tif 000009
【図８】
2006235783.tif 000010